(57)【要約】      （修正有）【課題】ネクタイを傷めずに容易に巻き掛け且つ取り外しができ、しかも、ネクタイが滑り落ちにくく強度も十分で、簡単に素早く見栄えよくネクタイをハンガーに掛けて店頭にディスプレイし、あるいは家庭で保管できるネクタイ用ハンガーを提供する。【解決手段】ネクタイを掛けて吊下げて装着する為のネクタイ装着部１１と、その下方にネクタイの折曲部分を係止して保持する為の係止部１７とを設け、そのネクタイ装着部と係止部とを支持体１４で一体的に連結した構成にしたものである。【選択図】図１
0003192979.tif 000002
【実用新案登録請求の範囲】
【請求項１】
鉤状フック７の下に設けた二つ折状のネクタイ１０を掛けて吊下げて装着する為のネクタイ装着部１１とネクタイの折曲部分１６を係止するためのネクタイ係止部１７とを支持体１４で一体的に連結した構造からなるネクタイ用ハンガー。
【請求項２】
前記ネクタイ装着部１１は、円形・楕円形・長方形等の枠状体１２をなし、その略中心部にネクタイ掛止杆１３の両端を連結して設け、前記ネクタイ係止部１７は、円形・楕円形・長方形等の外枠形状をなし、その略中心部の一端に抜け落ち防止用突起１８を先端に設けた一端解放の水平の係止杆１５を接続して設けたもので、ネクタイ装着部１１とネクタイ係止部１７とを支持体１４により一体的に連結した構造からなる請求項１記載のネクタイ用ハンガー。
【考案の詳細な説明】
【技術分野】
【０００１】
本考案は、二つ折りにしたネクタイを傷めずに巻き掛け且つ取り外しが簡単に素早くでき、しかもネクタイが容易に滑落しないように工夫した形体よりなる構成の店頭での販売用及び家庭用にも使用されるネクタイ用ハンガーに関するものである。
【背景技術】
【０００２】
従来の洋服・ネクタイ兼用ハンガー１は、吊下用フック２を設けたハンガー本体３の下方に、支持部４を介して吊下ロッド５を設けている。この吊下ロッド５は、ハンガー本体３と概ねに平行に配置され、横向きに設けられている。また、ネクタイ専用ハンガー６は、前記ロッド５に着脱自在に係止せしめられる鉤状フック７と、二つ折状としてネクタイ１０の折曲部８を着脱自在に吊持するハンガーを形成する横向きのスリット９とを備えている。これらのハンガーは、ネクタイをただ掛止杆１３に巻き掛けして吊下げるのみであるので、ネクタイを掛ける位置がずれたり、あるいはハンガーを動かしたり、ハンガーが何かにぶつかったりすると、ネクタイがバランスを失いその自重により前記ハンガーから容易に滑落してしまうという問題があった。
【０００３】
また、前記のネクタイの巻き掛け且つ取り外しの時に、ハンガーのネクタイ装着部１１の枠状体１２と掛止杆１３とのスリット９とが狭いため、ネクタイを無理やりに引っ張ったり押し込んだりしてネクタイを傷めてしまうという問題があった。
【０００４】
従来例においては、ハンガーの掛止杆１３の一端がネクタイ装着部１１に一体的に接続されてはいるが、他端が自由端であるので、掛止杆１３は一端のみが支持されているだけである。ネクタイ１０を掛止杆１３に巻き掛けたときネクタイの重みで掛止杆１３は曲り易く、一端支持体ゆえに強度が弱いとの問題があった。また、強度が弱いことよりネクタイ装着部１１と掛止杆１３との間のスリット９が拡がりネクタイが容易に滑落してしまうという問題があった。
【先行技術文献】
【特許文献】
【０００５】
【特許文献１】実開平２−５０２８３号公報
【特許文献２】登録実用新案第３０１６５２４号公報
【特許文献３】登録実用新案第３１５５１１４号公報
【考案の概要】
【考案が解決しようとする課題】
【０００６】
本考案は、ネクタイを傷めずに容易に掛止杆に巻き掛け且つ取り外しが簡単にでき、しかも、掛止杆１３を有するネクタイ装着部１１と係止杆１５を有するネクタイ係止部１７を一体的に連結したことにより、柔らかい生地であっても簡単に素早くハンガー６にネクタイ１０を装着でき、簡単に素早く見栄えよくネクタイをハンガーに掛けて店頭にディスプレイでき、また、家庭にあっては箪笥等に容易に滑落しないで保存できるように考案されたネクタイ用ハンガーに関するものである。
【課題を解決するための手段】
【０００７】
上記の目的を達成させるために、本考案のネクタイ用ハンガー６は、ネクタイを掛けて吊下げて装着する為の掛止杆１３を有するネクタイ装着部１１と、その下方に二つ折りしたネクタイの折曲部分１６を係止して保持する為の係止杆１５を有するネクタイ係止部１７とを設け、ネクタイ装着部１１と係止部１７とを支持体１４で一体的に連結した構成にしたものである。
【考案の効果】
【０００８】
本考案は、請求項１ないし請求項２に記載されたように構成されているので、以下のような効果を奏する。
【０００９】
請求項１の考案は、ネクタイを掛止するネクタイ装着部１１とネクタイを係止するネクタイ係止部１７とは支持体１４で一体的に連結されているので、ネクタイ１０を掛止する位置の偏り、あるいは、ハンガーが何かに触れてバランスが崩れるという不測の事態により起こるネクタイの滑落を容易に防止することができる。
【００１０】
ネクタイを掛止するネクタイ装着部１１は、円形・楕円形・長方形等の枠状体１２をなし、その略中心部にネクタイ掛止杆１３の両端を連結して設けたものなので、ネクタイを掛けて吊下げて装着する為の掛止杆１３とネクタイ装着部１１の枠状体１２との間に十分な空間を有し、二つ折りしたネクタイを無理やりに引っ張ったり押し込んだりしないでネクタイを装着することができるのでネクタイを傷めることがない。
【００１１】
従来のハンガーのように、掛け吊下げする装着をただ掛止杆１３のみで支えるのではなく、本考案は、掛止杆１３と係止杆１５の両方でネクタイの重みを支えるので、ネクタイの二つ折りの位置をバランスをとって慎重に決めるという苦労をしなくてもよい。
【００１２】
ネクタイの装着方法は、ネクタイ１０を適宜に２つ折りにして、その２つ折りしたネクタイの折曲部分１６をネクタイ装着部１１の上方から下に向けて掛止杆１３をくぐらせ、そのくぐらせたネクタイの折曲部分１６をネクタイ係止部１７の係止杆１５に一端解放の面から横にスライドさせて装着させるだけであるので、ネクタイ１０を簡単に素早く見栄えよくハンガーに吊下げて店頭にディスプレイでき、また、家庭にあっては箪笥等に保存できる。
【００１３】
請求項１ないし請求項２に記載されたネクタイを係止する係止杆１５は、たとえ一端解放の構造であっても、本考案は、掛止杆１３と係止杆１５の両方でネクタイの重みを支えるので、係止杆１５は撓んだり曲がったりということがなく強度が十分であり係止杆の撓みや曲がりが原因となった係止杆からのネクタイの外れや滑落ということがない。
【００１４】
係止杆１５の先端にはネクタイが容易に横に抜け落ちないように突起１８が設けられているので、ネクタイの折曲部分１６は容易には係止杆１５から外れることがない。ネクタイは、ネクタイ係止部の側面と抜け落ち防止用突起１８の間で挟まれしっかりと係止杆１５に保持される。
【図面の簡単な説明】
【００１５】
【図１】本考案の1実施例の使用状態を示す背面図である。
【図２】本考案の1実施例の使用状態を示す正面図である。
【図３】本考案の正面図、上面図及び底面図である。
【図４】本考案の側面図である。
【図５】従来例及びその使用状態を示す斜視図である。
【符号の説明】
【００１６】
１  洋服・ネクタイ兼用ハンガー
２  吊下用フック
３  ハンガー本体
４  支持部
５  吊下ロッド
６  ネクタイ専用ハンガー
７  鉤状フック
８  折曲部
９  スリット
１０  ネクタイ
１１  ネクタイ装着部
１２  枠状体
１３  掛止杆
１４  支持体
１５  係止杆
１６  折曲部分
１７  ネクタイ係止部
１８  抜け落ち防止用突起
【図１】
0003192979.tif 000003
【図２】
0003192979.tif 000004
【図３】
0003192979.tif 000005
【図４】
0003192979.tif 000006
【図５】
0003192979.tif 000007